(57)【要約】【課題】電気光学装置において、電気光学パネルに設けた透明導電膜を接地する場合の製造の手間及びコストを低減できるとともに、導電接続部の接触抵抗を抑制できる構造を実現する。【解決手段】本発明の電気光学装置１００は、少なくとも一のパネル基板１１１を有する液晶パネル１１０と配線基板１２０とを具備する電気光学装置であって、前記電気光学パネルには前記パネル基板１１１の外面上に透明導電膜１１１Ｓが形成され、配線基板１２０には折り曲げ部１２０Ｅが設けられ、前記配線基板１２０の一部に設けられた端子１２４が前記透明導電膜１１１Ｓに当接し、該端子１２４が前記折り曲げ部１２０Ｅの弾性復元力により前記透明導電膜１１１Ｓに圧接されていることを特徴とする。【選択図】図３
2009186971.tif 000002
【特許請求の範囲】
【請求項１】
電気光学パネルを構成するパネル基板と、
前記パネル基板の外面に形成した導電膜と、
定電位に接続される端子を有し、前記導電膜に接続される可撓性の配線基板と、
前記パネル基板に対向して配置され前記配線基板を支持する支持部材と、を含み、
前記配線基板が前記基板と前記支持部材との間で折り曲げられており、
前記配線基板の復元力で前記端子が前記導電膜に当接してなることを特徴とする電気光学装置。
【請求項２】
前記端子は前記配線基板の先端側に設けられ、
前記配線基板が前記端子の内側において前記支持部材に支持されてなることを特徴とする請求項１に記載の電気光学装置。
【請求項３】
前記電気光学パネルは、動作領域を有し、
前記パネル基板は前記動作領域から張り出してなる張り出し部を有し、
前記導電膜は前記表示部との重なり位置、及び前記張り出し部に形成されており
前記端子は、前記張り出し部において前記導電膜に当接してなることを特徴とする請求項１又は請求項２に記載の電気光学装置。
【請求項４】
前記配線基板を折り曲げた箇所に薄肉部、開口部若しくは細幅部が設けられることを特徴とする請求項１乃至請求項３のいずれか一項に記載の電気光学装置。
【請求項５】
前記配線基板を折り曲げた箇所に厚肉部が設けられることを特徴とする請求項１乃至請求項３のいずれか一項に記載の電気光学装置。
【請求項６】
前記配線基板は、前記電気光学パネルに設けられた入力端子に接続されてなることを特徴とする請求項１乃至請求項５のいずれか一項に記載の電気光学装置。
【請求項７】
前記電気光学パネルの前記導電膜が形成された前記パネル基板の外面側に配置され、前記電気光学パネルに照明光を照射する照明ユニットをさらに具備し、該照明ユニットには合成樹脂製のシート若しくはプレートが含まれ、
前記導電膜は前記電気光学パネルと前記合成樹脂製のシート若しくはプレートとを電磁的に遮蔽することを特徴とする請求項１乃至請求項６のいずれか一項に記載の電気光学装置。
【請求項８】
前記電気光学パネル及び前記配線基板を直接若しくは間接的に保持し、前記弾性復元力に対抗して前記電気光学パネルと前記配線基板との間隔を保持する保持枠をさらに具備することを特徴とする請求項１乃至請求項７のいずれか一項に記載の電気光学装置。
【請求項９】
請求項１乃至請求項８のいずれか一項に記載の電気光学装置と、該電気光学装置を制御駆動する制御駆動部とを具備することを特徴とする電子機器。
【発明の詳細な説明】
【技術分野】
【０００１】
本発明は電気光学装置及び電子機器に係り、特に、電気光学パネルと配線基板とを備えた電気光学装置の構成に関する。
【背景技術】
【０００２】
一般に、液晶表示パネル、有機ＥＬパネル等といった各種の電気光学パネルは少なくとも一のパネル基板を有し、該基板上に電気光学物質を配置してなる構造を備えている。このような電気光学パネルでは、静電気の帯電によって動作に支障が生ずる場合のあることが知られている。
【０００３】
たとえば、いわゆる横電界モードの液晶表示パネルでは、電気光学物質である液晶に水平方向の電界を印加して液晶の配向状態を切り換えるようにしているため、パネルに静電気が帯電すると、当該性電気によって垂直方向の電界が発生し、表示不良を招くという問題点がある。
【０００４】
このため、以下の特許文献１に示すように、従来から、液晶表示パネル１の外面に透明導電膜４を形成し、この透明導電膜４を導電ケーブル８等を介して回路基板７などに導電接続して接地することで、静電気に起因する表示不良を防止するようにした構成が提案されている。
【０００５】
【特許文献１】特開２００１−１４７４４１号公報
【発明の開示】
【発明が解決しようとする課題】
【０００６】
ところで、液晶表示パネルの場合には背後にバックライトを配置する場合が多く、この場合には、通常、バックライトの導光板のパネル側に薄い光学シートが配置される。そして、これらの光学シートが帯電すると、上記の液晶表示パネルからの電界放射によって光学シートが振動し、騒音が生ずる場合がある。そして、この場合、液晶表示パネルの背面側の基板の外面上に上記と同様の透明導電膜を形成すれば、当該透明導電膜を接地することで電界を遮蔽することが可能になるので、上記騒音の発生も解消することができる。したがって、透明導電膜の形成及びその導電接続構造は、上記の表示不良に限らず、光学シートの音鳴りにも効果があるので重要である。
【０００７】
しかしながら、前述の構造では、透明導電膜４と導電ケーブル８との導電接続部及び導電ケーブル８と回路基板７との導電接続部がそれぞれ異方性導電テープ１１を介して構成されていることで、透明導電膜の接地構造により、製造工程が煩雑となり製造コストが増大するとともに、各導電接続部に異方性導電テープ１１の接触抵抗が介在することで抵抗値が高くなるという問題点がある。また、両面導電テープなどを用いて導電接続した場合でも上記と同様に貼り付け作業が煩雑であるとともに、上記と同様に導電接続部の接触抵抗が介在することで抵抗値が増大する点は上記と同様であり、しかもテープの貼り付け状態によって接触抵抗そのものがばらつくという問題点もある。
【０００８】
そこで、本発明は上記問題点を解決するものであり、その課題は、電気光学装置において、電気光学パネルに設けた導電膜を接地電位等の定電位に固定する場合の製造の手間及びコストを低減できるとともに、導電接続部の接触抵抗を抑制できる構造を実現することにある。
【課題を解決するための手段】
【０００９】
斯かる実情に鑑み、本発明の電気光学装置は、電気光学パネルを構成するパネル基板と、前記パネル基板の外面に形成した導電膜と、定電位に接続される端子を有し、前記導電膜に接続される可撓性の配線基板と、前記パネル基板に対向して配置され前記配線基板を支持する支持部材と、を含み、前記配線基板が前記基板と前記支持部材との間で折り曲げられており、前記配線基板の復元力で前記端子が前記導電膜に当接してなることを特徴とする。導電膜は、表示パネルの表示領域と重なる領域、およびその周辺領域にわたって形成されており、周辺領域において配線基板に設けた端子に接続される。導電膜を電気光学パネルの視認側に設ける場合や、電気光学パネルとして透過型の液晶表示パネルを用いる場合には透光性の材料で導電膜を形成する必要があるが、電気光学パネルとして、反射型の液晶表示パネルや、ＥＬパネル等の自発光型の電気光学パネルを用い、導電膜を電気光学パネルの背面側に導電膜を形成する場合には導電膜は必ずしも透明である必要はなく、アルミ等のより電気低効が低い金属膜を用いてもよい。
【００１０】
支持部材としては、導電膜と端子との当接位置に対向する既存の部材を兼用することができる。例えば、電気光学パネルとして液晶パネルを用いる場合には、照明ユニットの導光板と兼用してもよいし、或いは電気光学パネルを支持する保持枠を支持部材として利用してもよい。要は、導電膜と端子との当接位置と平面的に重なる位置で、電気光学パネルに対して位置が固定されている部材であれば何でもよい。
【００１１】
本発明にあっては、配線基板に設けた端子を介して導電膜は定電位に接続されることとなる。ここで、定電位とは、典型的には接地電位とすればよい。接続の具体例としては、例えば配線を介して端子を電気光学パネルを保持する金属枠体に接続することもできるし、また、電気光学パネルを駆動する駆動ＩＣ等の駆動素子がある場合には、配線を介して、駆動素子等のグランド端子に接続してもよい。又は、電気光学装置を組み込む電子機器側から供給される定電位に端子を接続する構成としてもよい。定電位は、接地電位以外でもよく、例えば電気光学パネルを駆動する駆動素子等の電源電位等に接続してもよい。要は、電気光学パネルに帯電する静電気が逃げればよい。
【００１２】
本発明によれば、パネル基板に設けた導電部と、定電位に接続された端子とが配線基板の折り曲げ部で生ずる弾性復元力により端子圧接されて接続される。そのため、パネル基板に帯電する静電気が、導電膜および端子を介して逃げていくため、静電気による表示への悪影響を防止することができる。また、配線基板の弾性復元力により、導電膜と端子との当接部に常時圧力がかかるので導電膜と端子との接触抵抗の抑制及び安定化を図ることができる。更には、接着テープ等の別部材を設けなくとも導電膜と端子との接続が可能となるので端子製造の手間やコストを大幅に低減できる。
【００１３】
本発明の一の態様においては、前記端子は前記配線基板の先端側に設けられ、前記配線基板が前記端子の内側において前記支持部材に支持されてなることを特徴とする。端子具体的には、折り曲げ部の先端側に自由端部として構成される端子片部が設けられ、この端子片部がパネル基板の導電膜に圧接されることにより、配線基板において端子片部を独立して設けることができるため、折り曲げ部の弾性復元力による圧接状態を容易に設定できるとともに、端子片部に対する拘束力が弱くなるため、弾性復元力が抑制されにくく、これに基づく端子の透明導電膜に対する圧接力を効率的に得ることができる。また、端子片部以外の他の配線基板の領域の設計自由度を高めることもできる。
【００１４】
他の態様として、前記配線基板は前記配線基板の先端側において前記支持部材に支持されてなり、前記端子が前記支持部材に支持された部位より内側に設けらた構成とすることも可能である。
【００１５】
本発明の他の態様においては、前記電気光学パネルは、動作領域を有し、前記パネル基板は前記動作領域から張り出してなる張り出し部を有し、前記導電膜は前記動作領域との重なり位置、及び前記張り出し部に形成されており前記端子は、前記張り出し部において前記導電膜に当接してなることを特徴とする。より具体的には、前記パネル基板に対向して他のパネル基板が貼り合わされてなり、パネル基板には他のパネル基板の外形よりも周囲に張り出してなる張り出し部が設けられる。前記導電膜はパネル基板の外面上に、動作領域および張り出し部にわたって形成され、前記端子が導電膜のうち張り出し部に形成されている部分に圧接されている。このように張り出し部の外面上において端子が導電膜に当接していることで、配線基板の折り曲げ部の弾性復元力に起因する、電気光学パネルの動作領域（一対のパネル基板が対向配置されている領域）への応力的影響を低減できる。例えば、応力を受けることによる一対のパネル基板間のギャップの変動に起因する表示ムラ等を回避できる。
【００１６】
本発明の別の態様においては、前記配線基板を折り曲げた箇所に薄肉部、開口部若しくは細幅部が設けられる。また、当該箇所に厚肉部を設けてもよい。折り曲げ部に薄肉部、開口部若しくは細幅部或いは厚肉部を設けることで、配線基板の形状や構造に拘わらず、折り曲げ部の弾性復元力を適宜に設定することが可能になる。
【００１７】
本発明の異なる態様においては、前記配線基板は、前記電気光学パネルに設けられた入力端子に接続されてなることを特徴とする。すなわち、前記配線基板が前記電気光学パネルに信号を入力する基板と兼用されることとなる。より具体的には、パネル基板の面のうち導電膜が形成された面とは反対側の面において、配線基板とパネル基板とが接続される。パネル基板の導電膜と反対の面には、電気光学パネルを駆動するための駆動ＩＣ、又はパネル基板に直接形成された駆動回路等の駆動素子を配置し、その駆動素子の入力側の端子に配線基板を接続するとよい。又は、配線基板上に駆動素子を配置し、駆動素子の出力側の端子を、パネル基板の入力端子に接続してもよい。
【００１８】
本発明によれば、配線基板が、電気光学パネルに画像信号等を入力するための基板を兼ねているため、部品点数を増加させることなく、配線基板に設けた端子と、パネル基板に設けた端子とを当接させることができる。また、駆動素子の接地端子又は電源端子に導電膜に当接する端子を接続することで容易に導電膜に定電位を供給することができる。
【００１９】
本発明のさらに別の態様においては、前記電気光学パネルの前記導電膜が形成された前記パネル基板の外面側に配置され、前記電気光学パネルに照明光を照射する照明ユニットをさらに具備し、該照明ユニットには合成樹脂製のシート若しくはプレートが含まれ、前記透明導電膜は前記電気光学パネルと前記合成樹脂製のシート若しくはプレートとを電磁的に遮蔽する。これによれば、透明導電膜に所定電位（例えば接地電位）を与えることで、電気光学パネルが放射する電界を遮蔽することができるため、合成樹脂製のシート若しくはプレートの帯電に起因する音鳴りを防止することができる。
【００２０】
本発明のさらに異なる態様においては、前記電気光学パネル及び前記配線基板を直接若しくは間接的に保持し、前記弾性復元力に対抗して前記電気光学パネルと前記配線基板との間隔を保持する保持枠をさらに具備する。一般に、上記配線基板の端子が折り曲げ部の弾性復元力で透明導電膜に圧接される状態を得るには、電気光学パネルと配線基板との間隔（上記端子の透明導電膜に対する当接方向の間隔）を保持する何らかの構造を設ける必要があるが、本発明では当該構造に関して特に限定されるものではない。ただし、上記のように保持枠によって上記間隔を保持することで、保持枠に電気光学パネルと配線基板を取り付けることで簡単に上記圧接状態を得ることが可能になる。
【００２１】
次に、本発明の電子機器は、上記のいずれか一項に記載の電気光学装置と、該電気光学装置を制御駆動する制御駆動部とを具備することを特徴とする。このような電子機器としては、表示品位を高めることができる点で、モニタ装置、テレビジョン受像装置などといった表示部を備えた電子機器が好ましく、小型化が容易である点或いは高い静粛性が要求される点で、携帯電話、携帯型情報端末、電子時計などといった携帯型電子機器が好ましい。
【発明を実施するための最良の形態】
【００２２】
［第１実施形態］
次に、添付図面を参照して本発明の実施形態について詳細に説明する。図１は本発明に係る実施形態の電気光学装置１００の分解斜視図、図２は当該電気光学装置１００の組立状態の縦断面図、図３は電気光学装置１００の一部を拡大して示す拡大部分縦断面図である。
【００２３】
本実施形態の電気光学装置１００は、一対のガラス、プラスチック等の透明材料よりなるパネル基板１１１，１１２が貼着されてなる電気光学パネルとしての液晶パネル１１０と、ポリイミド樹脂等を基材として含みフレキシブル配線基板（ＦＰＣ）として構成された配線基板１２０と、上記液晶パネル１１０及び配線基板１２０を直接若しくは間接的に保持するための、白色の合成樹脂等で形成された矩形枠状の保持枠１３０と、を具備している。
【００２４】
液晶パネル１１０は、パネル基板１１１，１１２を図３に示すシール材１１３で貼り合わせ、基板間に液晶１１４を封止してなるセル構造を有し、パネル基板１１１，１１２の内面上に図示しない電界印加構造（電極、スイッチング素子など）を備えて複数の画素ごとに液晶の配向状態が変更可能となるように構成される。パネル基板１１１，１１２の外面上には偏光板１１５，１１６が配置（貼着）されている。
【００２５】
パネル基板１１１はパネル基板１１２の外形より周囲に張り出してなる張り出し部１１１Ｔを有し、この張り出し部１１１Ｔには図３に示すように上記電界印加構造に接続された複数の配線１１７が引き出されている。張り出し部１１１Ｔ上には駆動素子として、液晶駆動回路などを構成する集積回路チップとしての駆動回路１１８が実装され、上記配線１１７及び複数の入力配線１１９に導電接続されている。
【００２６】
張り出し部１１１Ｔ上には配線基板１２０の接続端部１２０Ａが接続されている。配線基板１２０は、ポリイミド樹脂等よりなる樹脂基材１２１と、この樹脂基材１２１に直接若しくは間接的に支持された配線１２２とを有し、一般的にフレキシブル配線基板（ＦＰＣ）と呼ばれる可撓性の基板を構成している。上記配線基板１２０に設けられた上記接続端部１２０Ａでは、複数の配線１２２が上記複数の入力配線１１９に異方性導電膜等を介してそれぞれ導電接続されている。
【００２７】
パネル基板１１１の外面（図示下面）上にはＩＴＯ（インジウムスズ酸化物）等の透明導電膜１１１Ｓが形成されている。この透明導電膜１１１Ｓは特に限定されないが、パネル基板１１１の全面に一様に形成されていることが望ましい。本実施形態では、パネル基板１１１の外面のうちパネル基板１１２と重なる動作領域部分に加えて上記張り出し部１１１Ｔの外面上にも透明導電膜１１１Ｓが形成されている。
【００２８】
配線基板１２０は上記接続端部１２０Ａから延在して図示しない電子機器の出力端子と接続される入力部１２０Ｂを有するとともに、当該入力部１２０Ｂとは別に張り出し部１１１Ｔの厚み方向外面側に伸びる細幅の連結部１２０Ｃを有し、当該連結部１２０Ｃは、張り出し部１１１Ｔの外面側に配置される背面部１２０Ｄに連結されている。背面部１２０ＤにはＬＥＤ（発光ダイオード）などの光源１４１が実装され、この光源１４１は、保持枠１３０の内部に配置された照明ユニット１４０の一部を構成している。
【００２９】
配線基板１２０には、入力配線１１９に接続される上記配線１２２の一部で構成されるか、若しくは、これらとは別に設けられた配線１２３が設けられ、この配線１２３は所定電位、本実施形態の場合には接地電位（例えば、上記入力部１２０Ｂにおいて電子機器の出力端子のうち接地端子から供給される電位）に接続されるべき配線となっている。この配線１２３は上記背面部１２０Ｄに存在する。また、配線基板１２０は上記張り出し部１１１Ｔの外面上に折り曲げ部１２０Ｅを有し、この折り曲げ部１２０Ｅの先端側に端子片部１２０Ｆが設けられている。この端子片部１２０Ｆには上記配線１２３に接続された端子１２４が形成されている。この端子１２４は、端子片部１２０Ｆの上面側に露出し、上記の透明導電膜１１１Ｓに当接し、導電接触している。図示例の場合、端子片部１２０Ｆは背面部１２０Ｄの幅方向の左右両側にそれぞれ設けられ、それぞれの端子片部１２０Ｆの端子１２４が張り出し部１１１Ｔの幅方向の左右両側において透明導電膜１１１Ｓに接触している。なお、図示例では上記のように一対の端子１２４が設けられているが、幅方向の周縁に設けられたいずれか片方の端子１２４のみを設けてもよい。
【００３０】
端子１２４は、上記折り曲げ部１２０Ｅの弾性復元力によって透明導電膜１１１Ｓに圧接されている。したがって、配線１２３と透明導電膜１１１Ｓとの導電接触状態が確実に維持される。特に、折り曲げ部１２０Ｅは端子片部１２０Ｆを配線基板１２０の基部側の基板部分の延在方向とはほぼ１８０度回転した方向に延在するように折り曲げられた状態とされているので、当該折り曲げ部１２０Ｅの弾性復元力は上記基板部分とほぼ直交する方向に端子片部１２０Ｆを透明導電膜１１１Ｓに対して押圧するため、確実に、かつ安定した接触抵抗を生ずる態様で透明導電膜１１１Ｓの端子１２４に対する導電接続状態を実現できる。ここで、端子１２４が接触している透明導電膜１１１Ｓの当接部分は、上記張り出し部１１１Ｔの外面上に位置する部分である。このようにすると、上記圧接力が過大であっても当該圧接力によりパネル基板１１１，１１２間のギャップが変化し、表示ムラをもたらすことを防止できる。
【００３１】
図７は、本実施形態の上記折り曲げ部１２０Ｅ及び端子片部１２０Ｆの形状を示す拡大部分断面図及び拡大部分平面図である。本実施形態において、折り曲げ部１２０Ｅは背面部１２０Ｄの先端側にて帯状に構成され、その折り曲げ部１２０Ｅの先端側に折り曲げ部１２０Ｅよりも広い幅を有する端子片部１２０Ｆが一体に設けられている。すなわち、折り曲げ部１２０Ｅの幅Ｗｅは、その両側に設けられる基板の開口部によって端子片部１２０Ｆの幅Ｗｆより小さく構成されている。このように折り曲げ部を細幅部とすることで、端子１２４を透明導電膜１１１Ｓに圧接させる折り曲げ部１２０Ｅの弾性復元力を抑制し、端子１２４が透明導電膜１１１Ｓを介してパネル基板１１１（張り出し部１１１Ｔ）に過大な応力を与えることを回避し、当該応力に起因するパネル基板１１１とパネル基板１１２間の基板間隔の変化に基づく表示ムラ等の発生を防止している。
【００３２】
照明ユニット１４０は、上述の光源１４１に対向する光入射面１４２ａ及びこれと直交する面で構成される光出射面１４２ｂを備えたアクリル樹脂やポリカーボネート樹脂等よりなる透明な導光板１４２と、当該導光板１４２の背後（光出射面１４２ｂとは反対側の面上）に配置され、保持枠１３０に装着されたアルミニウム板や白色ポリエチレン等よりなる反射シート１４３と、導光板１４２の光出射面１４２ｂ上に配置された１又は複数の光学シート１４４とを備えている。
【００３３】
光学シート１４４は、導光板１４２の光出射面１４２ｂより出射される光の均一性を高める光拡散シート、光出射面１４２ｂより出射される光を出射方向に集光するプリズムシートなどで構成される。これらはアクリル系樹脂、ポリエステル系樹脂、ポリカーボネート系樹脂などの合成樹脂で構成され、厚みは５０μｍ〜２００μｍ程度の薄いシートで構成される。通常、光拡散シートと、プリズム面が相互に直交する方向となる姿勢で配置された二枚のプリズムシートの合計三枚のシートで構成されるが、一枚で構成される場合、或いは二枚で構成される場合もある。
【００３４】
保持枠１３０は合成樹脂等よりなる矩形枠状に構成される。保持枠１３０は光を反射するために白色のポリエチレン樹脂などで一体に構成されることが好ましい。保持枠１３０は、矩形枠状の部分を構成する枠部１３１と、当該枠部１３１の厚み方向の範囲内にテラス状に構成され、枠部１３１の内側に張り出して上方に向いた上側支持面１３２と、枠部１３１の内側に張り出して下方に向いた下側支持面１３３とを備えている。上側支持面１３２には両面接着テープなどの接着材を介して上記液晶パネル１１０が接着固定されている。また、下側支持面１３３には上記反射シート１４３が上記と同様の接着材を介して接着固定されている。さらに、枠部１３１のうち上記液晶パネル１１０の張り出し部１１１Ｔと重なる側の一辺の側壁は切り欠き状に開放されて開口部１３４が設けられ、当該開口部１３４及びその内側に、上記配線基板１２０の連結部１２０Ｃに接続された背面部１２０Ｄが設置されている。
【００３５】
本実施形態においては、液晶パネル１１０が接着材を介して保持枠１３０の上側支持面１３２上に保持され、配線基板１２０の背面部１２０Ｄが保持枠１３０やこれに保持された導光板１４２に下方より支持されているため、液晶パネル１１０と背面部１２０Ｄとの間隔が保持枠１３０によって間接的に維持され、その結果、背面部１２０Ｄに対して折り曲げ部１２０Ｅを介して連結された端子片部１２０Ｆの端子１２４がパネル基板１１１の外面上の透明導電膜１１１Ｓに圧接される。
【００３６】
以上説明したように、本実施形態では、液晶パネル１１０のパネル基板１１１の外面上に形成された透明導電膜１１１Ｓが配線基板１２０の端子１２４に直接に接触しているので、従来の異方性導電膜や両面導電テープなどの介在物を必要としないことから、接触抵抗等に起因する接続抵抗値を低減できるとともに、端子１２４が配線基板１２０の折り曲げ部１２０Ｅの弾性復元力によって透明導電膜１１１Ｓに圧接されているので、確実かつ安定に導電接続状態を得ることができる。さらに、上記のように弾性復元力で圧接させるだけでよいため、たとえば、保持枠１３０に配線基板１２０の背面部１２０Ｄを装着し、その上に上記折り曲げ部１２０Ｅを介して端子片部１２０Ｆが配置されるように構成し、その後、液晶パネル１１０を上方から保持枠１３０に組み込むだけで、自動的に透明導電膜１１１Ｓが端子１２４に圧接されるので、製造上の手間やコストを大幅に低減できる。
【００３７】
特に、本実施形態では端子１２４が折り曲げ部１２０Ｅの先端側に自由端部として設けられた端子片部１２０Ｆによって構成されているので、端子１２４に対する拘束力が弱くなり、折り曲げ部１２０Ｅの弾性復元力を効率的に透明導電膜１１１Ｓに対する圧接力として用いることが可能になる。
【００３８】
本実施形態では、液晶パネル１１０のパネル基板１１１の外面上に透明導電膜１１１Ｓが形成され、この透明導電膜１１１Ｓが端子１２４に導電接触して配線１２３の所定電位（接地電位）に導電接続されているので、液晶パネル１１０に帯電している不要な静電気を逃がすことができる。また、透明導電膜１１１Ｓにより照明ユニット１４０との間の電磁的遮蔽を構成できるので、たとえば、液晶パネル１１０の電界放射に起因して光学シート１４４が帯電して振動し、音鳴りを生ずるといったことを防止できる。
【００３９】
［第２実施形態］
図４は、本発明に係る第２実施形態の構成を示す拡大部分断面図である。この実施形態では、先に説明した第１実施形態に対応する部分には同一符号を付し、それらの説明は省略する。
【００４０】
本実施形態において、配線基板１２０’は上記と同様に液晶パネル１１０の張り出し部１１１Ｔに実装された接続端部１２０Ａを有するとともに、当該接続端部１２０Ａとほぼ同じ幅を有し、接続端部１２０Ａから張り出し部１１１Ｔの端面の側方を下方に向けて通過し（枠部１３１の厚み方向に延在し）、その背面側に回り込む湾曲部１２０Ｃ’を有し、その先に背面部１２０Ｄが設けられている。背面部１２０Ｄには上記と同様に光源１４１が実装されるとともに、折り曲げ部１２０Ｅの先端側に端子片部１２０Ｆが形成されている。なお、この実施形態では、図示しない入力部（先の実施形態の入力部１２０Ｂに相当するもの）が背面部１２０Ｄから延出するように構成されていてもよい。
【００４１】
この第２実施形態では、基本的に上記第１実施形態と同様の作用効果を有するが、配線基板１２０’の接続端部１２０Ａ、湾曲部１２０Ｃ’及び背面部１２０Ｄが液晶パネル１１０に対してより一体性の高い形状を有するものとなっている。
【００４２】
［第３実施形態］
図５は、本発明に係る第３実施形態の構成を示す拡大部分断面図である。この実施形態でも、先に説明した第１実施形態に対応する部分には同一符号を付し、それらの説明は省略する。
【００４３】
本実施形態において、配線基板１２０”は、接続端部１２０Ａから湾曲部１２０Ｃ”を経て張り出し部１１１Ｔの背面側に回り込む背面部１２０Ｄを有するが、この背面部１２０Ｄの一部に端子１２４が露出している点で第１及び第２実施形態とは異なる。そして、端子１２４の形成範囲より先端側に折り曲げ部１２０Ｅが設けられ、この折り曲げ部１２０Ｅの先端側に配線１２５に導電接続された光源１４１が実装されてなる対向部１２０Ｇが設けられている。この対向部１２０Ｇは、背面部１２０Ｄの背後に平面的に重なるように対向配置されている。
【００４４】
本実施形態では、端子１２４が折り曲げ部１２０Ｅの弾性復元力によって透明導電膜１１１Ｓに圧接されている点では上記各実施形態と同様であるが、当該折り曲げ部１２０Ｅが端子１２４の先に設けられ、その先に対向部１２０Ｇが保持されている点で、上記各実施形態とは異なる。
【００４５】
［第４実施形態］
図６は、本発明に係る第４実施形態の構成を示す拡大部分断面図である。この実施形態でも、先に説明した第１実施形態に対応する部分には同一符号を付し、それらの説明は省略する。
【００４６】
本実施形態では、保持枠１３０’が電気光学パネルとしての液晶パネル１１０’を背後より支持する背面枠部１３１’と、液晶パネル１１０’を前面側（視認側）より支持する前面枠部１３２’とを有している。そして、前面枠部１３２’のうち液晶パネル１１０’の前面側に張り出した支持部位が配線基板１２０’の前面部１２０Ｄ’を支持することで間接的に液晶パネル１１０’を前面側から支持している。
【００４７】
また、本実施形態の場合、液晶パネル１１０’は、張り出し部１１１Ｔを備えたパネル基板１１１が前面側（視認側）に配置され、もう一方のパネル基板１１２が背面側に配置されている点で上記各実施形態とは異なる。したがって、パネル基板１１１の外面上に形成された透明導電膜１１１Ｓは、パネル基板１１１の前面側に配置されていることになる。
【００４８】
本実施形態では、液晶パネル１１０’が背面側より背面枠部１３１’によって支持されているとともに、配線基板１２０’の前面部１２０Ｄ’が前面枠部１３２’の支持部位により前面側から支持されているため、背面枠部１３１’と前面枠部１３２’が前後方向に保持固定されていれば、液晶パネル１１０’と配線基板１２０’の前面部１２０Ｄ’との間隔は保持枠１３０’により維持されていることになり、その結果、上記と同様に、端子１２４は透明導電膜１１１Ｓに圧接されることになる。
【００４９】
なお、本実施形態では透明導電膜１１１Ｓが液晶パネル１１０’の前面側に配置されているので、光学シート１４４の音鳴りの防止を図ることはできないが、静電気の帯電防止効果を与えることができる。
【００５０】
［第５実施形態］
図８は、本発明に係る第５実施形態の構造を示す拡大部分断面図である。本実施形態でも、先に説明した第１実施形態に対応する部分には同一符号を付し、それらの説明は省略する。
【００５１】
本実施形態では、折り曲げ部１２０Ｅにおいて配線基板１２０の厚みが低減された構造（薄肉部）を有し、これによって折り曲げ部１２０Ｅの弾性復元力を低減し、端子１２４の透明導電膜１１１Ｓに対する圧接力が過大にならないように構成したものである。図示例の場合、端子片部１２０Ｆに設けられた端子１２４に導電接続される配線１２３はそのままで、樹脂基材１２１の一部に凹部１２１ａが設けられることで折り曲げ部１２０Ｅの厚みを凹部１２１ａが形成されていない範囲の厚みよりも低減している。ここで、凹部１２１ａは折り曲げ部１２０Ｅの内面側に設けられているため、折り曲げをより容易に行うことが可能になっている。この場合、例えば樹脂基材１２１に開口部（貫通部）を設けて配線１２３のみを残すことによって折り曲げ部１２０Ｅの厚みを低減してもよい。
【００５２】
なお、本実施形態において、第１実施形態の図７に示す折り曲げ部の細幅形状を併用してもかまわない。また、上記とは逆に、折り曲げ部を他の部分より厚肉に形成し、折り曲げ部の弾性復元力を大きくしてもよい。これは、例えば、配線基板の背面部と透明導電膜との間隔が大きい場合や配線基板１２０の可撓性が高い場合など、端子と透明導電膜の圧接力をより強くしたい場合に有効である。このように折り曲げ部を厚肉にする構成は、たとえば、折り曲げ部に絶縁層を重ねて積層したり、追加のシートを貼着したりすることで実現できる。
【００５３】
［第６実施形態］
図９は、本発明に係る第６実施形態の構造を示す拡大部分断面図である。本実施形態でも、先に説明した第１実施形態に対応する部分には同一符号を付し、それらの説明は省略する。
【００５４】
本実施形態では、配線基板１２０の内部に切り込みを設け、当該切り込みの内側にある部分を起こして折り曲げることで、折り曲げ部１２０Ｅ及び端子片部１２０Ｆを形成している。この場合、折り曲げ部１２０Ｅの反折り曲げ側には開口１２０ｂが設けられる。このようにすると、配線基板１２０の端縁部に限らず任意の場所に折り曲げ部１２０Ｅ及び端子１２４を形成することができるので、端子１２４の形成位置及び配線基板１２０の配線パターンの設計自由度を高めることができる。
【００５５】
なお、本実施形態においても、第１実施形態の図７に示す折り曲げ部の細幅形状を併用してかまわない。
【００５６】
［第７実施形態］
図１０は、本発明に係る第７実施形態の構造を示す拡大部分断面図及び拡大部分平面図である。本実施形態でも、先に説明した第１実施形態に対応する部分には同一符号を付し、それらの説明は省略する。
【００５７】
本実施形態では、折り曲げ部１２０Ｅに開口部１２０ｃを形成し、これによって折り曲げ部１２０Ｅの幅Ｗｅ１＋Ｗｅ２を実質的に端子片部１２０Ｆの幅Ｗｆより小さくし、その弾性復元力を低減して端子１２４の透明導電膜１１１Ｓに対する圧接力を抑制している。
【００５８】
なお、本実施形態においても、第１実施形態の図７に示す折り曲げ部の細幅形状を併用してかまわない。また、上記とは逆に、折り曲げ部を他の部分より幅広に形成し、折り曲げ部の弾性復元力を大きくしてもよい。これは、例えば、配線基板の背面部と透明導電膜との間隔が大きい場合や配線基板１２０の可撓性が高い場合など、端子と透明導電膜の圧接力をより強くしたい場合に有効である。
【００５９】
［第８実施形態］
図１１は、本発明に係る第８実施形態の構造を示す拡大部分断面図である。本実施形態でも、先に説明した第５実施形態に対応する部分には同一符号を付し、それらの説明は省略する。
【００６０】
本実施形態では、端子１２４の表面上に突設部１２４ａが設けられ、この突設部１２４ａは端子片部１２０Ｆの他の表面部分より突出するように設けられている。これによって、突設部１２４ａが透明導電膜１１１Ｓに当接することで、折り曲げ部１２０Ｅの弾性復元力に起因する圧接力をより確実かつ集中して導電接触部に与えることが可能になり、導電接続状態の安定性、再現性を高めることができる。
【００６１】
［第９実施形態］
図１２は、本発明に係る第９実施形態の構造を示す拡大部分断面図である。本実施形態でも、先に説明した各実施形態に対応する部分には同一符号を付し、それらの説明は省略する。
【００６２】
本実施形態では、折り曲げ部１２０Ｅが上記各実施形態のように１８０度折り返され、その結果、端子片部１２０Ｆが折り曲げ部１２０Ｅの手前の部分とほぼ平行な態様となっておらず、折り曲げ部１２０Ｅが約９０度の範囲で折り曲げられてなり、その結果、端子片部１２０Ｆが基部側の部分に対してほぼ直交する姿勢となるように構成されている。そして、端子１２４は基部側の部分に対してほぼ直交する面に沿って配置される透明導電膜１１１Ｓに圧接される。
【００６３】
この実施形態では、圧接力は上記各実施形態とは異なる方向に作用するが、折り曲げ部１２０Ｅの弾性復元力に基づいて端子１２４が透明導電膜１１１Ｓに圧接される点では上記と同様の作用効果を奏する。すなわち、折り曲げ部１２０Ｅの折り曲げ角度は、１８０度に限らず、本実施形態のように９０度など、任意の角度で構わない。ただし、折り曲げ角度を９０度を越える角度とすることで、弾性復元力を確実に導電接触部に伝えることができ、さらに、ほぼ１８０度（実際には１６０度〜２００度の範囲内）とすることで、導電接触部の厚みを低減でき、装置の薄型化に寄与することができる。
【００６４】
［電子機器］
最後に、上記実施形態の電気光学装置１００を搭載した電子機器について説明する。図１３は、本発明に係る電子機器の一実施形態である携帯電話機を示している。ここに示す携帯電話機２００は、複数の操作ボタン、送話口などを備えた操作部２０１と、受話口などを備えた表示部２０２とを有し、表示部２０２の内部に上記の電気光学装置１００が組み込まれてなる。そして表示部２０２の表面（内面）上において電気光学装置１００の表示領域を視認することができるようになっている。この場合、携帯電話機２００の内部には、上記電気光学装置１００を制御する下記の表示制御回路などが設けられる。この表示制御回路は、電気光学パネルとしての液晶パネル１１０を駆動する公知の駆動回路に対して所定の制御信号を送り、電気光学装置１００の表示態様を決定する。
【００６５】
図１４は電子機器における電気光学装置１００に対する制御系（表示制御系）の全体構成を示す概略構成図である。ここに示す電子機器（上記携帯電話機２００）は、表示情報出力源２９１と、表示情報処理回路２９２と、電源回路２９３と、タイミングジェネレータ２９４と、バックライト１５０への電力供給を行う光源制御回路２９５とを含む表示制御回路２９０を有する。また、電気光学装置１００には、上述の構成を有する液晶表示体である電気光学パネルとしての液晶パネル１１０と、この液晶パネル１１０を駆動する駆動回路１１８と、照明ユニット１４０とが設けられている。この駆動回路１１８は、液晶パネル１１０に直接実装されている上記の集積回路チップで構成される。ただし、駆動回路１１８は、上記のような態様の他に、液晶パネル１１０の基板表面上に形成された電子部品や回路パターン、或いは、液晶パネル１１０に導電接続された回路基板に実装された半導体ＩＣチップ若しくは回路パターンなどによっても構成することができる。
【００６６】
表示情報出力源２９１は、ＲＯＭ（Read Only Memory）やＲＡＭ（Random Access Memory）等からなるメモリと、磁気記録ディスクや光記録ディスク等からなるストレージユニットと、デジタル画像信号を同調出力する同調回路とを備え、タイミングジェネレータ２９４によって生成された各種のクロック信号に基づいて、所定フォーマットの画像信号等の形で表示情報を表示情報処理回路２９２に供給するように構成されている。
【００６７】
表示情報処理回路２９２は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路１１８へ供給する。駆動回路１１８は、走査線駆動回路、信号線駆動回路及び検査回路を含む。また、電源回路２９３は、上述の各構成要素にそれぞれ所定の電圧を供給する。
【００６８】
光源制御回路２９５は、電源回路２９３から供給される電圧に基づいて照明ユニット１４０の光源に電力を供給し、所定の制御信号に基づいて光源の点灯の有無及びその輝度等を制御するようになっている。
【００６９】
また、本発明に係る電子機器としては、図１３に示す携帯電話機の他に、液晶テレビ、カーナビゲーション装置、電子手帳、電卓、ワークステーション、テレビ電話、ＰＯＳ端末機などが挙げられる。そして、これらの各種電子機器の表示部として本発明に係る液晶表示装置を用いることができる。ただし、本発明は騒音を低減することができる場合もあるため、特に、携帯電話、電子時計、携帯型情報端末などといった携帯型電子機器に用いる場合にも有効である。
【００７０】
尚、本発明は、上述の図示例にのみ限定されるものではなく、本発明の要旨を逸脱しない範囲内において種々変更を加え得ることは勿論である。例えば、本実施形態においては、液晶表示パネルを備えた液晶表示装置について説明したが、本発明は、液晶表示装置に限らず、有機ルミネッセンス表示装置、フィールドエミッション表示装置、プラズマディスプレイ表示装置、電気泳動表示装置などの電気光学パネルを含む他の電気光学装置であっても構わない。
【図面の簡単な説明】
【００７１】
【図１】第１実施形態の概略分解斜視図。
【図２】第１実施形態の概略縦断面図。
【図３】第１実施形態の拡配線基板の近傍を示す大部分断面図。
【図４】第２実施形態の配線基板の近傍を示す拡大部分断面図。
【図５】第３実施形態の配線基板の近傍を示す拡大部分断面図。
【図６】第４実施形態の配線基板の近傍を示す拡大部分断面図。
【図７】第１実施形態の配線基板の折り曲げ部近傍を示す拡大部分断面図及び拡大部分平面図。
【図８】第５実施形態の配線基板の折り曲げ部近傍を示す拡大部分断面図。
【図９】第６実施形態の配線基板の折り曲げ部近傍を示す拡大部分断面図。
【図１０】第７実施形態の配線基板の折り曲げ部近傍を示す拡大部分断面図及び拡大部分平面図。
【図１１】第８実施形態の配線基板の折り曲げ部近傍を示す拡大部分断面図。
【図１２】第９実施形態の配線基板の折り曲げ部近傍を示す拡大部分断面図。
【図１３】電子機器の外観を示す概略斜視図。
【図１４】電子機器の表示制御系の概略ブロック図。
【符号の説明】
【００７２】
１００…電気光学装置、１１０’，１１０…電気光学パネルとしての液晶パネル、１１１，１１２…パネル基板、１１１Ｓ…透明導電膜、１１１Ｔ…張り出し部、１１３…シール材、１１４…液晶、１１５，１１６…偏光板、１１７，１２２，１２３，１２５…配線、１１８…集積回路チップとしての駆動回路、１１９…入力配線、１２０’，１２０”，１２０…配線基板、１２０Ａ…接続端部、１２０Ｂ…入力部、１２０ｂ…開口、１２０ｃ，１３４…開口部、１２０Ｃ’，１２０Ｃ”…湾曲部、１２０Ｃ…連結部、１２０Ｄ’…前面部、１２０Ｄ…背面部、１２０Ｅ…折り曲げ部、１２０Ｆ…端子片部、１２０Ｇ…対向部、１２１…樹脂基材、１２１ａ…凹部、１２４…端子、１２４ａ…突設部、１３０’，１３０…保持枠、１３１’…背面枠部、１３１…枠部、１３２’…前面枠部、１３２…上側支持面、１３３…下側支持面、１４０…照明ユニット、１４１…光源、１４２…導光板、１４２ａ…光入射面、１４２ｂ…光出射面、１４３…反射シート、１４４…光学シート、１５０…バックライト、２００…携帯電話機、２０１…操作部、２０２…表示部、２９０…表示制御回路、２９１…表示情報出力源、２９２…表示情報処理回路、２９３…電源回路、２９４…タイミングジェネレータ、２９５…光源制御回路、ＣＬＫ…クロック信号、Ｗｅ，Ｗｅ１＋Ｗｅ２，Ｗｆ…幅。
【図１】
2009186971.tif 000003
【図２】
2009186971.tif 000004
【図３】
2009186971.tif 000005
【図４】
2009186971.tif 000006
【図５】
2009186971.tif 000007
【図６】
2009186971.tif 000008
【図７】
2009186971.tif 000009
【図８】
2009186971.tif 000010
【図９】
2009186971.tif 000011
【図１０】
2009186971.tif 000012
【図１１】
2009186971.tif 000013
【図１２】
2009186971.tif 000014
【図１３】
2009186971.tif 000015
【図１４】
2009186971.tif 000016